(57)【要約】カメラにおける電池の電力消費を、シーン変化に関する情報から判断されたカメラのアクティビティレベルに基づいて調整する。この情報は、ホワイトバランス、自動露光、自動焦点計算に関する統計データから、またはシーンの動きおよびカメラの動きから収集されることができる。アクティビティレベルが低い場合、ファインダフレームレートを低下させることができ、カメラにおけるアナログ/デジタル変換の精度を低下させることができ、カメラの動作全体を減速させることができる。【選択図】図２
2012519989.tif 000002
【特許請求の範囲】
【請求項１】
カメラのアクティビティレベルを判断することと、
前記カメラのアクティビティレベルに少なくとも部分的に基づいて、撮影装置に使用される電力の消費を制御することと、
を含む、方法。
【請求項２】
前記カメラのアクティビティレベルは、前記撮影装置の動きに少なくとも部分的に基づいて判断される、請求項１に記載の方法。
【請求項３】
前記撮影装置は、シーンの画像を表す画像データを処理するためのプロセッサを備え、前記カメラのアクティビティレベルは、前記画像データにおける変化に少なくとも部分的に基づいて判断される、請求項１に記載の方法。
【請求項４】
前記カメラのアクティビティレベルは、前記撮影装置におけるユーザアクティビティに少なくとも部分的に基づいて判断される、請求項１に記載の方法。
【請求項５】
前記画像データにおけるホワイトバランス変換を表す情報を収集することをさらに含み、前記カメラのアクティビティレベルは、前記情報に基づいて部分的に判断される、請求項３に記載の方法。
【請求項６】
前記画像データにおける前記変化は、前記画像の露光調整により少なくとも部分的にもたらされる、請求項３に記載の方法。
【請求項７】
前記画像データにおける前記変化は、前記画像の焦点調整により少なくとも部分的にもたらされる、請求項３に記載の方法。
【請求項８】
シーンの画像を表す画像データを処理するように構成されるデータ処理モジュールと、
前記画像データにおける変化に少なくとも部分的に基づいて、カメラのアクティビティレベルを判断する情報収集モジュールと、
を備え、前記カメラのアクティビティレベルを、前記装置における電力の消費を制御するために使用する、装置。
【請求項９】
前記装置の動きを検出する検出モジュールをさらに備え、前記情報収集モジュールは、前記装置の前記動きに基づいて、前記カメラのアクティビティレベルを判断するようにさらに構成される、請求項８に記載の装置。
【請求項１０】
前記画像データにおける前記変化は、前記シーンの光の変化を示す、請求項８に記載の装置。
【請求項１１】
前記画像の露光調整を実行する制御モジュールをさらに備え、前記画像データにおける前記変化は、前記露光調整を示す、請求項８に記載の装置。
【請求項１２】
前記画像の焦点調整を実行する制御モジュールをさらに備え、前記画像データにおける前記変化は、前記焦点調整を示す、請求項８に記載の装置。
【請求項１３】
前記カメラのアクティビティレベルを、前記データ処理モジュールにおけるデータ処理レートを制御するために使用する、請求項８に記載の装置。
【請求項１４】
前記画像の露光調整を実行する制御モジュールをさらに備え、前記カメラのアクティビティレベルを、露光調整のレートを制御するために使用する、請求項８に記載の装置。
【請求項１５】
前記画像の焦点調整を実行する制御モジュールをさらに備え、前記カメラのアクティビティレベルを、焦点調整のレートを制御するために使用する、請求項８に記載の装置。
【請求項１６】
前記画像データを表示するための表示デバイスをさらに備え、前記カメラのアクティビティレベルを、前記画像データを表示する更新レートを制御するために使用する、請求項８に記載の装置。
【請求項１７】
ソフトウェアプログラムを格納したコンピュータ可読ストレージ媒体であって、前記ソフトウェアプログラムは、
シーンの画像における変化を表す情報を収集し、
前記情報に少なくとも部分的に基づいて、撮影装置のカメラのアクティビティレベルを判断し、
前記カメラのアクティビティレベルに少なくとも部分的に基づいて、前記撮影装置における電力の消費を制御する、
ためのプログラミングコードを含む、コンピュータ可読ストレージ媒体。
【請求項１８】
シーンの画像における変化を表す情報を収集する手段と、
前記情報に少なくとも部分的に基づいて、撮影装置のカメラのアクティビティレベルを判断する手段と、
前記カメラのアクティビティレベルに少なくとも部分的に基づいて、前記撮影装置に使用される電力の消費を制御する手段と、
を備える、装置。
【請求項１９】
前記画像データは、ＲＡＷデータからホワイトバランス計算処理を経て変換された、ホワイトバランス調節済みの画像データを含み、前記装置は、
前記消費を制御するために、前記ホワイトバランス計算処理のレートを調整する手段、
をさらに備える、請求項１８に記載の装置。
【請求項２０】
前記装置の動きを検出する手段をさらに備え、前記カメラのアクティビティレベルを、前記装置の前記動きに少なくとも部分的に基づいて判断する、請求項１８に記載の装置。
【発明の詳細な説明】
【技術分野】
【０００１】
本発明はカメラ一般に関し、より具体的には、ファインダとして使用する画像モニタを有するカメラに関する。
【発明の背景】
【０００２】
デジタルカメラは、通常、シーンの写真を撮る前にシーンの画像を目で確認することができるように、画像モニタを有する。シーンの画像を表示することは、カメラの電池の電力を消費する。電池の電力消費を低下させるため、ひいてはカメラの電池寿命を延ばすために、ファインダ上の画像の表示を制御するための方法を提供することが有利である。
【発明の概要】
【０００３】
本発明は、節電のためのいくつかのアイディアを用いて、カメラにおける電池の電力消費を低下させる方法および装置を提供する。これらの装置は、例えばカメラのアクティビティレベルを検出するために、シーンの動きに関する情報を使用する。また、カメラのファインダがアクティブである場合、電力消費を低下させるために、アクティビティレベルを基礎として使用する。シーンの動きは、例えば、画像データから収集された色情報、シーン光レベル情報、統計情報から判断することができる。統計データは、例えば、自動ホワイトバランス、自動露光、および自動焦点アルゴリズムから得ることができる。また、シーン光レベル情報は、周辺光センサからも得ることができる。
【０００４】
アクティビティレベルを使用して、アクティビティが一定のレベル未満である場合に、ファインダフレームレートを制御すること、アナログ/デジタル変換器モードを制御すること、カメラの動作全体を減速させること、またはいくつかの不必要なブロックを停止させることができる。
【０００５】
本発明の第１の側面は、カメラのアクティビティレベルを判断することと；カメラのアクティビティレベルに少なくとも部分的に基づいて、撮影装置に使用される電力の消費を制御することと；を含む方法である。
【０００６】
カメラのアクティビティレベルは、撮影装置の動きに少なくとも部分的に基づいて判断されることができる。
【０００７】
カメラのアクティビティレベルは、撮影装置におけるユーザアクティビティに少なくとも部分的に基づいて判断されることができる。
【０００８】
カメラのアクティビティレベルは、画像データにおける変化に少なくとも部分的に基づいて判断されることができる。
【０００９】
カメラのアクティビティレベルは、画像データにおけるホワイトバランス変換における統計データに少なくとも部分的に基づいて判断されることができる。
【００１０】
カメラのアクティビティレベルは、画像の露光調整における画像データの変化に少なくとも部分的に基づいて判断されることができる。
【００１１】
カメラのアクティビティレベルは、画像の焦点調整における画像データの変化に少なくとも部分的に基づいて判断されることができる。
【００１２】
本発明の第２の側面は、シーンの画像を表す画像データを処理するように構成されるデータ処理モジュールと；画像データにおける変化に少なくとも部分的に基づいて、カメラのアクティビティレベルを判断する情報収集モジュールと；を備え、前記カメラのアクティビティレベルを、前記装置における電力の消費を制御するために使用する、装置である。
【００１３】
本発明の一実施形態による装置は、前記装置の動きを検出する検出モジュールをさらに備え、前記情報収集モジュールは、前記装置の動きに基づいて、カメラのアクティビティレベルを判断するようにさらに構成される。代替として、前記画像データにおける変化は、シーンの光の変化またはシーンの変化を示すものである。
【００１４】
本発明の別の実施形態によると、前記装置は、画像の露光調整および焦点調整を実行する制御モジュールを備える。前記画像データにおける変化は、露光調整および／または焦点調整を示すものである。
【００１５】
電力の消費は、データ処理レートであって、露光調整および／または焦点調整を実行するためのレートを制御することによって制御されることができる。
【００１６】
電力の消費は、画像データを表示するための更新レートを制御することによって制御されることができる。
【００１７】
本発明の第３の側面は、ソフトウェアプログラムを格納したコンピュータ可読ストレージ媒体であって、上記ソフトウェアプログラムは、シーンの画像における変化を表す情報を収集し；情報に少なくとも部分的に基づいて、撮影装置のカメラのアクティビティレベルを判断し；カメラのアクティビティレベルに少なくとも部分的に基づいて、撮影装置における電力の消費を制御する；ためのプログラミングコードを含む。
【００１８】
本発明の第４の側面は、シーンの画像における変化を表す情報を収集する手段と；  情報に少なくとも部分的に基づいて、撮影装置のカメラのアクティビティレベルを判断する手段と；カメラのアクティビティレベルに少なくとも部分的に基づいて、撮影装置に使用される電力の消費を制御する手段と；を備える装置である。
【００１９】
本発明の一実施形態によると、画像データは、ＲＡＷデータからホワイトバランス計算処理を経て変換された、ホワイトバランス調節済みの画像データを含む。また前記装置は、電力消費を制御するために、ホワイトバランス計算処理のレートを調整する手段をさらに備える。
【００２０】
本発明の別の実施形態によると、前記装置は、該装置の動きを検出する手段をさらに備え、カメラのアクティビティレベルを、前記装置の前記動きに少なくとも部分的に基づいて判断する。
【００２１】
カメラのアクティビティレベルは、ホワイトバランス計算、自動露光計算、および自動焦点計算に関する統計情報に基づいて、部分的に判断されることができる。
【００２２】
計算アクティビティレベルを使用して、ホワイトバランス計算、自動露光計算、および自動焦点計算におけるレートまたは複雑性を制御することができる。
【００２３】
本発明の種々の実施形態によると、画像における変化はシーンの動きを示す。上記方法は、画像における変化を表す情報を提供するために、シーンの照度（illumination）の変化を検出することをさらに含む。
【００２４】
本発明は、図１〜図７と併せて以下の説明を熟読することによってさらに明らかになるだろう。
【図面の簡単な説明】
【００２５】
【図１】本発明の一実施形態に従うカメラシステムを描いたブロック図である。
【図２】デジタルカメラからの画像データを処理するための画像信号処理モジュールの構成要素と、種々のモジュールへの接続とを示す。
【図３】本発明の別の実施形態に従う、カメラシステムを示すブロック図である。
【図４】本発明の異なる実施形態に従う、カメラシステムを示すブロック図である。
【図５】本発明のさらに別の実施形態に従う、カメラシステムを示すブロック図である。
【図６】本発明の種々の実施形態に従う、カメラシステムを有する電子機器を示す。
【図７】カメラに関連付けられたアナログ／デジタル変換器を示す。
【発明の詳細説明】
【００２６】
デジタルカメラの電源がオンである場合はいつでも、デジタルカメラは電池の電力を消費する。ファインダ上に画像を表示することは、例えば、電池の電力を必要とする。ファインダ上の画像の表示を制御することによって、電池の電力消費を低下させることが望ましい。
【００２７】
いくつかのカメラシステムは、電池の電力を節約するために、より低い電力段階にカメラを設定するタイマーを有する。この段階から通常の動作段階に戻すためには、ユーザは、カメラを再び作動させるか、またはボタンを押す必要がある。ユーザは、カメラを手に取ったらすぐに通常のように画像を撮影したいが、この戻す手続のために、画像撮影の開始が遅れてしまう。
【００２８】
本発明は、カメラにおける電池の電力消費を低下させるための方法であって、ユーザからの入力は必要なく、画像撮影を遅延させることなく実行することができる方法を提供する。本発明の種々の実施形態によると、カメラのファインダは、電池の電力を節約するために、自動的かつ適応的に制御される。
【００２９】
本発明のある実施形態における節電のための構成には、状況情報を使用してカメラのアクティビティレベルを検出し、カメラのファインダがアクティブである場合に電力消費を低下させるための基礎として、そのアクティビティレベルを使用する。アクティビティレベルには、例えば、シーンの動きやカメラの動きが含まれる。
【００３０】
シーンの動きは、例えば、画像データ上に収集された色情報やシーン光レベル情報から判断することができる。したがって、画像データにおける色情報および/またはシーン光レベルに多くの変化が存在する場合、アクティビティレベルは高いと推定される。また、シーンの動きは、動きベクトル計算や統計データからも判断することができる。統計データは、例えば、自動ホワイトバランス、自動露光、および自動焦点アルゴリズムから得ることができる。また、シーン光レベル情報は、周辺光センサからも得ることができる。
【００３１】
カメラの動きは、統計データから、または加速度計等の動き検出器によって検出された動きの量から判断することができる。または、カメラの動きは、多数のフレームから動きベクトルを計算することによって判断することができる。
【００３２】
アクティビティレベルは、ファインダフレームレートを制御することや、ADC（アナログ/デジタル変換器）モードを制御すること、カメラの動作全体を減速させること、いくつかの不必要なブロックを停止させること、に使用することができる。アクティビティが一定のレベル未満である場合にそのような制御を行ってもよい。例えば自動ホワイトバランス計算や自動露光計算、自動焦点計算などのためのいくつかの画像処理ブロックの処理速度を落とすことができる。ファインダフレームレートは、アクティビティレベルが高い場合に通常レベル（例えば30fps）に維持することができ、レベルが低い場合に低下させることができる。例えば、ADCが全ての画素を変換せずに、いくつかの画素を省略するようにサブサンプリングするような、精度低下モード（例えば10ビットの代わりに8ビット）でADCを動作させることができる。また、ADCの電力消費も、画像品質のトレードオフとしてさらに低下させてもよい。要するに、カメラの動作速度を落とすといういくつかの例では、処理アルゴリズムのうちのいくつかを選択的に停止させるか、または画像品質のトレードオフとして減速させることが望ましい。フレームレートを低下させなければならない場合、処理ブロックのうちのいくつかを、停止または減速させることができ、一方、他の処理ブロックを、例えば、プロセッサ負荷に基づいて、通常のアクティビティレベルに維持することができる。ファインダフレームレートの低下によって、電池の電力消費を低下させることができる。例えば、装置の状況を示す情報が極めて低いアクティビティレベルを示す場合は、フレームレートを１秒当たり５フレームに落としてもよい。このような低フレームレートも、アクティビティが低い場合には、通常有用性に悪影響を及ぼさない。
【００３３】
カメラが減速モードで動作する場合であっても、状況情報は依然として監視される。状況情報の変化が一定のレベルに到達すると、ファインダの滑らかさを増すためにファインダフレームレートを増すことができ、同時に、自動ホワイトバランス計算、自動露光計算、および自動焦点計算を通常に戻すことができる。
【００３４】
加えて、エンドユーザ体験のバランスを取るために、工場設定の安全動作期間をシステムが有することが有利である。例えば、カメラは、カメラの電源を入れて最初の数秒間、高フレームレートを使用するように構成される。これは、ユーザが写真を撮る可能性が最も高い期間である。この初期高フレームレートは、自動ホワイトバランス、自動露光、および自動焦点のループがアクティブである場合に迅速な応答時間を確実にするように設計される。この初期期間中に画像が撮られない場合、節電機能を自動的に起動することができる。
【００３５】
図1は、本発明の一実施形態に従うカメラシステムを図示する。図1に示すように、カメラシステム10は、画像データを画像信号処理（image signal processing; ISP）モジュール40に供給するカメラ20を備える。画像信号処理モジュール40にはメモリ30が接続され、処理される画像データを格納する。画像データが処理された後、画像データは、大容量メモリ32に格納されることができる。また、画像データは、表示モジュール90に表示されることもできる。動きセンサ、周辺光センサ、およびシャッタボタン等の多数の入力機器は、インターフェースモジュール80にグループ分けされることができる。自動焦点機能の完了等のカメラ機能の状態を示す音を生成するために、オーディオモジュール92が処理モジュール40に接続されることが有利である。また、サポート機能を実行するために、サポートモジュール70が処理モジュール40に接続される。サポートモジュール70は、例えば電子フラッシュユニットを備えてもよい。カメラシステム10の構成要素のうちの全てでなくても大部分は、カメラの電源がオンである場合に、電池36によって提供された電力を使用する。またカメラシステム10は、画像処理モジュール40が、例えば、自動露光、自動ホワイトバランス、および自動焦点計算を実行すること、シーンの動きを検出するために動きベクトル計算を実行すること、複数の画像フレームからの画像データに基づいてカメラ移動検出を実行すること、ならびに統計情報を収集することを可能にするように、多種多様のアルゴリズムを提供するために、ソフトウェアモジュール33も備える。ソフトウェアモジュール33は、例えば、これらのアルゴリズムのプログラミングコードを格納する、コンピュータ可読ストレージ媒体を含む。
【００３６】
本発明の主要部は、画像信号処理モジュール40にある。図2に示すように、カメラ20は、画像センサ24上にイメージを形成するための撮像レンズ22を含むデジタルカメラであることができる。画像信号処理モジュール40は、カメラモジュール20からRAW画像データを受信するように構成される。受信した画像データは、例えば、メモリ30に格納されることができる。カメラ20から受信したRAW画像データは、ホワイトバランス処理されたデータにするために、ホワイトバランスモジュール42によって処理される。ホワイトバランス処理されたデータは、色調整のために、色補正モジュール60に直接供給されることができる。代替として、ホワイトバランス処理されたデータは、色補正を別のタイミングで行うために、および/または別の色補正モジュールで実行することができるように、メモリ30に格納される。色補正モジュール60の出力は、色補正された画像データであり、色補正された画像データは、大容量メモリモジュール32に格納され、画像取り込み前および後にシーンの画像をユーザが見ることができるように、表示制御モジュールを通してファインダまたは画像モニタ90に供給されることができる。画像信号処理モジュール40は、自動露光、自動ホワイトバランス（automatic white-balance; AWB）、および自動焦点計算に関連する統計データを収集するためのモジュール44と、自動露光、自動ホワイトバランス、および自動焦点計算を実行するためのモジュール46とをさらに備える。ホワイトバランスに関連する統計データは、ブロック42からのホワイトバランス処理された画像データによって提供されるか、またはカメラ20からのRAW画像データから得ることができる。モジュール60からの色補正された画像データと、モジュール44からの統計データとは、例えば、シーン色情報、シーン光レベル情報、シーンの動き情報を収集するために、モジュール72において使用することができる。モジュール72からの種々の情報とともに、少なくともモジュール44からの統計データ、モジュール46からの自動露光、自動ホワイトバランス（AWB）、および自動焦点計算の状態に基づいて、カメラのアクティビティレベルが、モジュール74によって判断される。カメラのアクティビティレベルに基づいて、モジュール74は、例えば、ファインダ画像を更新するためのフレームレートを判断する。
【００３７】
カメラ20は、通常、図7に示すように、ホワイトバランスモジュール42に画像データを供給する前段に、アナログ画像データ124をデジタル画像データ126に変換するアナログ/デジタル変換器を装備することに留意されたい。
【００３８】
カメラシステム10は、シーン光レベルおよびシーン色の変化を検出するための周辺光センサ84と、カメラの動きを検出するための動きセンサ82とを有してもよい。また、周辺光センサ84および動きセンサ82からの情報も、モジュール74がカメラのアクティビティレベルを推定するために使用することができる。
【００３９】
カメラシステム10は、カメラのある機能をユーザが無効にすることを可能にするためのユーザインターフェース86を備えてもよい。ユーザは、例えば、カメラを停止せずに、ファインダを停止することを決定してもよい。
【００４０】
図2に示す実施形態では、シーン色情報、シーン光レベル情報、およびシーンの動き情報は、モジュール60が提供する色補正された画像データから収集される。本発明の異なる実施形態によると、シーン色情報、シーン光レベル情報、およびシーンの動き情報は、例えば、モジュール42からのホワイトバランスされた画像データから収集される。
【００４１】
カメラシステム10における画像信号処理モジュール40の種々のモジュールへの接続形態は異なってもよいことに留意されたい。例えば、表示制御モジュール48は、画像信号処理モジュール40から分離し、カメラベースバンドの一部になることができる。図3に示すように、カメラ20、大容量メモリ32、および表示制御モジュール48のみが、画像信号処理モジュール40に直接接続される。メモリ30、サポート機能モジュール70、インターフェースモジュール80、およびオーディオモジュール92等の全ての他のモジュールは、ベースバンドに接続される。
【００４２】
異なる実施形態では、画像信号処理モジュール40を、図4に示すように、ベースバンドからさらに除去することができる。図4に示すように、追加のメモリモジュール31が、処理される画像データを格納するために、画像信号処理モジュール40に直接接続される。カメラフラッシュ等のサポート機能のうちのいくつかは、サポート機能モジュール70'から画像信号処理モジュール40に提供されることができる。
【００４３】
本発明のさらに別の実施形態では、画像信号処理モジュール40は、図5に示すように、カメラ20に一体型である。カメラフラッシュ等のサポート機能のうちのいくつかは、サポート機能モジュール70'から画像信号処理モジュール40に提供されることができる。
【００４４】
本発明は、スタンドアロン型カメラにおいて使用されることができる。または、別の機器に組み込まれたものであることができる。例えば、カメラ20は、図6に示すように、画像信号処理モジュール40、インターフェースモジュール80、大容量メモリ32、およびサポート機能70'を伴って、電子機器200において使用されることができる。電子機器200は、ゲーム機、携帯情報端末、モバイル端末、またはその同等物であることができる。電子機器200は、表示モジュール90および電池36を有してもよく、また、キーボード210、データ/信号プロセッサ250、アンテナ240を介して通信データを受信または送信するための送受信機230も有してもよい。画像処理モジュール40は、特に、写真を撮るためにカメラ20を使用する場合に、電子機器における電力消費を節約するために使用することができる。また、電子機器200は、電子機器200ならびにカメラ20の電源をオンおよびオフするためにオン/オフスイッチ38も含む。カメラ20の電源がオンになると、本発明に従って、節電機能を、短時間、例えば、１秒から５秒の間使用しないこととすることが可能である。この初期短時間は、内蔵安全動作期間として考えられる。この期間の後に、節電機能が起動するように構成することができる。
【００４５】
要するに、本発明は、デジタルカメラ等の画像取り込み機器における電力消費を節約するための方法および装置を提供する。ファインダフレームレートを低下させ、アナログ/デジタル変換の精度を低下させ、カメラの動作全体を減速させ、カメラにおけるいくつかの必要な処理ブロックを停止させることによって、電力消費を低下させることができる。電力消費は、カメラのアクティビティレベルに基づくことができる。カメラのアクティビティレベルは、例えば、カメラの動きおよびシーンの動きに基づいて測ることができる。カメラの動きは、統計データから、または加速度計等の動き検出器により検出された動きの量から判断することができる。シーンの動きは、色情報やシーン光レベル情報、動きベクトル計算、自動ホワイトバランス、自動露光、自動焦点アルゴリズム等の統計情報から判断することができる。
【００４６】
いくつかのパラメータを、電力消費の低下に対するトリガとして使用することができ、例えば、Accelometer_speed（加速度計に基づく速度，ACC_speed）、Autoexposure_speed（自動露光に基づく速度，AE_speed）、Auto-white-balance_speed（自動ホワイトバランスに基づく速度，AWB_speed）、およびUser_Activity（ユーザアクティビティ，USER_ACT）が挙げられる。
【００４７】
ACC_speedは、例えば、cm/秒を単位として測定することができる。例えば、速度が5cm/秒を上回らない場合に、カメラの動きは小さいと考えられる。加速度計がカメラにおいて利用不可能である場合、画像データからの動きベクトル計算を使用してACC_speedを測定することができる。AE_speedは、前のフレームと現在のフレームとの間の露光変化に基づいて測定することができる。変化は、例えば、パーセントを単位として表現することができる。
【００４８】
また、AWB_speedも、フレーム間のホワイトバランスの変化に基づいて測定することができる。AE_speedおよびAWB_speedの変化が一定の限度未満である場合、シーンの動きは、安定していると考えられることができる。電力消費は、適宜制御されることができる。例えば、ACC_speedが低く、シーンの動き（AE_speedおよび/またはAWB_speedに基づく）も低い場合、電力消費を低下させることができる。ACC_speedが低いが、シーンの動きが高い場合、電力消費を通常通りに維持することができる。
【００４９】
USER_ACTは、自動焦点機能がロック位置に存在する（シャッターが半分押された状態）後に判断することができ、電力消費を判断するために使用することができる。いくつかの例を以下に挙げる。
【００５０】
１．機器またはシーンの動きが低い又は安定  →  AF開始  →  ユーザがAFロックを解除するか、または画像を取り込まない  →  シャッターが半分押されるまで低電力状態。
【００５１】
このシナリオは、ユーザがカメラを開始し、画像をフレーム化し、焦点を合わせる場合に可能性のある使用例について記述する。しかし、ユーザは、撮影されようとしている写真が気に入らないので位置の変更を決定する。低電力状態は、ユーザの動きが減るか、またはAFを再び開始するまで使用される。ユーザの動きが減った後に状態が安定しているのであれば、低電力モードを再び有効にすることができる。
【００５２】
２．機器またはシーンの動きは低くない  →  AF開始  →  ユーザがAFロックを解除するか、または画像を取り込まない  →  通常電力動作モード。
【００５３】
このシナリオは、機器が移動中であるか、またはユーザが変更したシーンを撮影中である場合の可能性のある使用例について記述する。ユーザは、撮影しようとする光景をフレーミングし、焦点を合わせる。しかし、ユーザは、撮影されようとしている写真が気に入らないので写真を撮らないこと、またはシーンを変更することを決定する。ユーザは、典型的には、常に移動している。通常電力モードを維持すべきである。
【００５４】
３．機器またはシーンの動きは低い又は安定  →  AF開始  →  画像取り込み  →  シャッターが半分押されるまで低電力。
【００５５】
このシナリオは、ユーザがカメラを開始し、撮影しようとする光景をフレーミングし、写真を撮る場合の可能性のある使用例について記述する。ユーザが位置を変更する際、ユーザの動きが減るか、またはAFが再び開始するまで低電力モードが使用される。ユーザの動きが減った後に状態が安定しているのであれば、低電力モードを再び有効にすることができる。また、ユーザがカメラを起動し、フレーミングし、写真を撮影することも可能である。しかし、ユーザは位置を変更しない。低電力モードは、AFを再び開始するか、またはユーザが移動を開始するか、またはシーン情報が変更を開始するまで使用される。
【００５６】
４．機器またはシーンの動きは低くない  →  AF開始  →  画像は取り込まれる  →  通常電力動作モード。
【００５７】
このシナリオは、機器が移動中またはユーザが変更するシーンを撮影し、フレーミングし、写真を撮る場合の可能性のある使用例について記述する。ユーザは、典型的には、常に移動しているため、通常電力モードを維持すべきである。
【００５８】
上記例は、カメラの電力消費を制御するために、どのようにカメラのアクティビティレベルを使用することができるかについての例示である。カメラのアクティビティレベルは、測定され、所定の限度や閾値などと比較されることができる。電力消費は、シーンや機器の動き、ならびにユーザ入力に基づいて判断される。
【００５９】
したがって、本発明は、シーンの画像を表す画像データを処理するように構成されるデータ処理モジュールと；画像データにおける変化に少なくとも部分的に基づいて、カメラのアクティビティレベルを判断する情報収集モジュールと；を備え、記カメラのアクティビティレベルを、前記装置における電力の消費を制御するために使用する、装置を提供する。
【００６０】
前記装置は、装置の動きを検出する検出モジュールをさらに備え、前記情報収集モジュールは、前記装置の動きに基づいて、カメラのアクティビティレベルを判断するようにさらに構成される。
【００６１】
画像データにおける前記変化は、シーンの光の変化によるものであることができる。
【００６２】
本発明の一実施形態によると、前記装置は、画像の露光調整および焦点調整を実行する制御モジュールを備え、画像データにおける前記変化は、露光調整および/または焦点調整を示すものである。
【００６３】
本発明の別の実施形態によると、カメラのアクティビティレベルは、露光調整、焦点調整、撮影装置におけるデータ処理レート、および/または表示モジュールにおいて画像データを表示する更新レートを制御するために使用される。
【００６４】
本発明の別の実施形態によると、データ処理モジュールは、撮像センサから受信した画像データを変換するように構成され、カメラのアクティビティレベルは、データ変換における精度を制御するために使用される。
【００６５】
本発明の種々の実施形態によると、画像データは、ホワイトバランスされた画像データを提供するために処理される。また装置は、シーンの動きを表す情報を収集するための収集モジュールをさらに備え、カメラのアクティビティレベルは、シーンの動きに部分的に基づいて判断される。この情報は、シーン色情報、シーン光レベル情報、画像露光計算に関連する情報、画像焦点計算であることができる。
【００６６】
複数の実施形態を用いて本発明について説明してきたが、その形式および詳細について、前述のような又は他の変形，変更，省略を、本発明の範囲から逸脱することなく加えてもよいことを、当業者は理解する。
【図１】
2012519989.tif 000003
【図２】
2012519989.tif 000004
【図３】
2012519989.tif 000005
【図４】
2012519989.tif 000006
【図５】
2012519989.tif 000007
【図６】
2012519989.tif 000008
【図７】
2012519989.tif 000009
【国際調査報告】
2012519989.tif 000010
2012519989.tif 000011
2012519989.tif 000012